(57)【要約】【課題】  フランジ部を有するフランジ付き容器を複数個集積して保持する保持具であって、安定した状態で集積包装することが可能な多角形状の保持具を提供する。【解決手段】  フランジ部を有する容器を少なくとも３個以上集積する板紙製の保持具であって、係止されるフランジ付き容器と同数の角部及び周縁辺を有する略多角形状からなる天板と、天板の周縁辺に外縁折線を介して連設される外縁垂下片とを有しており、天板はフランジ部の外縁を角部を挟む周縁辺にそれぞれ内接するように配置したフランジ付き容器と同数の容器保持領域を備えており、容器保持領域には、外縁折線のそれぞれに穿設されフランジ部を係止する外縁係止用切込と、それぞれの角部に対向し天板の中央側に設けられる内縁折線を介して設けられるそれぞれの内縁垂下片と、内縁折線のそれぞれに穿設されフランジ部を係止する内縁係止用切込とを備えた保持具。【選択図】        図２
2011140324.tif 000002
【特許請求の範囲】
【請求項１】
フランジ部を有するフランジ付き容器を少なくとも３個以上集積して保持する板紙製の保持具であって、該保持具は、係止される前記フランジ付き容器と同数の角部及び周縁辺を有する略多角形状からなる天板と、該天板の前記周縁辺に外縁折線を介して連設される外縁垂下片とを有しており、前記天板は、前記フランジ付き容器の前記フランジ部の外縁が前記角部を挟む前記周縁辺にそれぞれ内接するように配置した前記フランジ付き容器と同数の容器保持領域を備えており、当該容器保持領域には、前記外縁折線のそれぞれに穿設され前記フランジ部を係止する外縁係止用切込と、前記それぞれの角部に対向した前記天板の中央側に設けられた内縁折線を介して設けられるそれぞれの内縁垂下片と、前記内縁折線のそれぞれに穿設され前記フランジ部を係止する内縁係止用切込とを備えたことを特徴とする保持具。
【請求項２】
前記保持具に係止される前記フランジ付き容器が３個であって、天板が略正三角形状からなることを特徴とする請求項１記載の保持具。
【請求項３】
前記保持具に係止される前記フランジ付き容器が４個であって、天板が略正方形状からなることを特徴とする請求項１記載の保持具。
【請求項４】
前記天板に形成した内縁折線同士の各交点から発し前記外縁折線に直交すると共に前記外縁垂下片をそれぞれ横断する破断線を刻設したことを特徴とする請求項１乃至３のいずれか記載の保持具。
【請求項５】
フランジ部を有するフランジ付き容器を６個以上で３の倍数個集積して保持する板紙製の保持具であって、該保持具は、３個の角部及び周縁辺を有する略正三角形状の天板と、該天板の周縁辺に外縁折線を介してそれぞれ連設される外縁垂下片とを有し、前記天板は、前記フランジ付き容器のフランジ部の外縁が前記略正三角形状の前記角部を挟む周縁辺にそれぞれ内接するように配置した角部容器保持領域と、該角部容器保持領域間の前記周縁辺に少なくとも１個以上のフランジ付き容器のフランジ部の外縁を内接するよう配置した縁辺部容器保持領域とを備えており、当該角部容器保持領域及び縁辺部容器保持領域には、前記外縁折線のそれぞれに前記フランジ部の外縁が内接する位置に穿設され前記フランジ部を係止する外縁係止用切込と、前記それぞれの角部に対向した前記天板の中央側及び前記縁辺部容器保持領域の前記天板の中央側に設けられた内縁折線を介して設けられるそれぞれの内縁垂下片と、前記内縁折線のそれぞれに穿設され前記フランジ部を係止する内縁係止用切込とを設け、前記角部容器保持領域に位置するフランジ付き容器はフランジ部の二箇所が前記外縁係止用切込に係止されるとともにフランジ部の一箇所が前記内縁係止用切込に係止され、前記縁辺部容器保持領域に位置するフランジ付き容器はフランジ部の一箇所が前記外縁係止用切込に係止されるとともにフランジ部の二箇所が前記内縁係止用切込に係止され保持されることを特徴とする保持具。
【請求項６】
フランジ部を有するフランジ付き容器を６個以上の偶数個集積して保持する板紙製の保持具であって、該保持具は、４個の角部及び周縁辺を有する略矩形状の天板と、該天板の周縁辺に外縁折線を介してそれぞれ連設される外縁垂下片とを有し、前記天板は、前記フランジ付き容器のフランジ部の外縁を前記角部を挟む周縁辺にそれぞれ内接するように配置した角部容器保持領域と、該角部容器保持領域間で前記周縁辺の一方の対向する二辺に少なくとも１個以上のフランジ付き容器のフランジ部の外縁を内接するよう配置した縁辺部容器保持領域とを備えており、当該角部容器保持領域及び縁辺部容器保持領域には、前記周縁辺の一方の対向する二辺の前記外縁折線のそれぞれに前記少なくとも３個のフランジ付き容器のフランジ部の外縁が内接する位置及び前記周縁辺の他方の対向する二辺の前記外縁折線のそれぞれに前記２個のフランジ付き容器のフランジ部の外縁が内接する位置とに穿設され前記フランジ部を係止する外縁係止用切込と、前記それぞれの角部に対向した前記天板の中央側及び前記縁辺部容器保持領域の前記天板の中央側に設けられる内縁折線を介して設けられるそれぞれの内縁垂下片と、前記内縁折線のそれぞれに穿設され前記フランジ部を係止する内縁係止用切込とを設け、前記角部容器保持領域に位置するフランジ付き容器はフランジ部の二箇所が前記外縁係止用切込に係止されるとともにフランジ部の一箇所が前記内縁係止用切込に係止され、前記縁辺部容器保持領域に位置するフランジ付き容器はフランジ部の一箇所が前記外縁係止用切込に係止されるとともにフランジ部の二箇所が前記内縁係止用切込に係止され保持されることを特徴とする保持具。
【請求項７】
前記天板に形成した内縁折線同士の各交点から発し前記外縁折線に直交すると共に前記外縁垂下片をそれぞれ横断する破断線と、前記天板に形成した前記内縁折線同士の各交点のうち天板の中央に近い交点間を結ぶ破断線とを刻設したことを特徴とする請求項５または６に記載の保持具。
【請求項８】
前記外縁係止用切込及び前記内縁係止用切込が、それぞれ外縁垂下片及び内縁垂下片方向に膨出する略弓の字状からなりそれぞれの幅中央部に係止突起を備えたことを特徴とする請求項１乃至７のいずれか記載の保持具。
【発明の詳細な説明】
【技術分野】
【０００１】
本発明は、フランジ部を有するフランジ付き容器を複数個集積して保持する保持具に関するものである。
【背景技術】
【０００２】
上端にフランジ部を有するフランジ付き容器を集合包装する形式として、上端のフランジ部のみを支持して包装する形式が周知である。この包装形式は、天板と両側の垂下片とからなるホルダーを天板と両側垂下片との間にある折曲線により折り曲げ、切欠部に容器のフランジ部が係合することにより上端にフランジ部を有するフランジ付き容器を保持具に保持されており、複数の容器を一列に配置した状態が広く利用されてきた。
【０００３】
また、容器上部のみを保持するホルダーとして、容器を二列に集積包装した集合包装が提案されている（例えば、特許文献１）。特許文献１には、「複数のフランジ付きカップ容器を２列に並んだ状態で連結するのに使用される板紙製のカップホルダーであって、矩形状の天面部分とその周囲４辺に折線を介してそれぞれ連設された折曲げ片とからなり、天面部分はカップ容器を２列状態で並べた場合にそのフランジが少しずつはみ出る大きさになっており、天面部分の前後方向中心線の左右に各カップ容器のフランジを差し込むための差込み用切込が前後方向に並んで設けられ、各折線のところには折曲げ片を下向きに折り曲げた時に当該折曲げ片がカップ容器にフランジにて係止されるような形状で折曲げ用切込が設けられていることを特徴とするカップホルダー。」が示されており、カップ容器を２列状態でまとめるに際し、差込み用切込にカップ容器のフランジを差し込んでから周囲４辺の折曲げ片を単に折り曲げるという簡単な工程でまとめることができ、まとめた後はロック状態となるばかりか、折曲げ片が補強の役目を果たして強度のあるものである。
【０００４】
しかしながら、上記特許文献１に記載された発明の「カップホルダー」では、フランジ付きカップ容器の保持に際して、差込みによる保持操作に時間を要するものであった。
【０００５】
また、容器上部のみを保持するホルダーとしては、他の提案もなされている（例えば、特許文献２）。特許文献２には、「外方に突出する唇状部を持つ上部部分をそれぞれ備えた互いに隣接する列状の物品を収容する搬送体において、パネル縦方向に延びる互いに平行に間隔を隔てた２条の内側折り線とこれ等の内側折り線に平行にこれ等の折り線から外方に間隔を隔てた２条の外側折り線とを持つ支持パネルを備え、この支持パネルにこのパネルに前記外側折り線に沿って連結した下方に延びる外側支持区分と前記パネルに前記内側折り線に沿って連結され相互に近づく向きに先狭まりになり中央折り線に沿い相互に連結した下方に延びる内側支持区分とを設け、前記の内側及び外側の各折り線を前記各物品の突出唇状部の一部が貫いて突出するみぞ穴により中断し、これ等のみぞ穴に前記物品唇状部の突出部分の下側に衝合することにより各物品を支えるようにした下面を設け、前記各外側支持区分に折り線に沿って連結した補強フラップを備え、これ等の各フラップを協働する外側支持区分の下側に折曲げ、前記各フラップに理説する物品に接触する部分を持つ連結されていない縁部を設けたクリップ形物品搬送体。」（特許請求の範囲１．）が示されている。
【０００６】
しかしながら、上記特許文献２に記載された発明の「クリップ形物品搬送体」では、例えば１列部分を把持した場合や指穴を持ち上げる時に物品の衝合部分で外れる方向に力が働いてしまい分解するという問題があり、これを防ぐには、図６に示されるように、補強帯状体５２を接着剤により頂部パネル１２にくさび形リブ区分１８にまたがるように接着されるなどの必要がある。上記接着のためには、補強帯状体とこれを接着する工程、接着剤などが必要となってしまうという欠点があった。
【先行技術文献】
【特許文献】
【０００７】
【特許文献１】特開平１０−４５１６２号公報
【０００８】
【特許文献２】特表平８−５０８９６２号公報
【発明の概要】
【発明が解決しようとする課題】
【０００９】
そこで本発明は、フランジ部を有するフランジ付き容器を複数個集積して保持する保持具であって、簡単な操作で、安定した状態でフランジ付き容器を集積包装することが可能な多角形状の保持具を提供することにある。
【課題を解決するための手段】
【００１０】
上記課題を解決するため、請求項１記載の発明は、フランジ部を有するフランジ付き容器を少なくとも３個以上集積して保持する板紙製の保持具であって、該保持具は、係止される前記フランジ付き容器と同数の角部及び周縁辺を有する略多角形状からなる天板と、該天板の前記周縁辺に外縁折線を介して連設される外縁垂下片とを有しており、前記天板は、前記フランジ付き容器の前記フランジ部の外縁が前記角部を挟む前記周縁辺にそれぞれ内接するように配置した前記フランジ付き容器と同数の容器保持領域を備えており、当該容器保持領域には、前記外縁折線のそれぞれに穿設され前記フランジ部を係止する外縁係止用切込と、前記それぞれの角部に対向した前記天板の中央側に設けられた内縁折線を介して設けられるそれぞれの内縁垂下片と、前記内縁折線のそれぞれに穿設され前記フランジ部を係止する内縁係止用切込とを備えたことを特徴とする保持具である。このように構成することにより、少なくとも３個以上の略円形状のフランジ付き容器を、多角形状の天板に当接するように配置し、天板に連設される外縁垂下片及び天板内に設けられた内縁垂下辺を折り曲げることでそれぞれのフランジ付き容器のフランジ部が三箇所の係止用切込部分で係止することができ、保持具に簡単にしかも強固に保持できる。
【００１１】
請求項２の発明は、前記保持具に係止される前記フランジ付き容器が３個であって、天板が略正三角形状からなることを特徴とする請求項１記載の保持具であって、正三角形状の天板に当接する３個のフランジ付き容器を、それぞれ３箇所の外縁垂下片と内縁垂下片とを折り曲げることでそれぞれのフランジ付き容器のフランジ部が三箇所の係止用切込部分で係止されるので、保持具に簡単にしかも強固に保持できる。
【００１２】
請求項３の発明は、前記保持具に係止される前記フランジ付き容器が４個であって、天板が略正方形状からなることを特徴とする請求項１記載の保持具であって、略正方形状に形成された天板に当接する４個のフランジ付き容器を、外縁垂下片と内縁垂下片とを折り曲げことでそれぞれのフランジ付き容器のフランジ部が三箇所の係止用切込部分で係止されるので、保持具に簡単にしかも強固に保持できる。
【００１３】
請求項４の発明は、前記天板に形成した内縁折線同士の各交点から発し前記外縁折線に直交すると共に前記外縁垂下片をそれぞれ横断する破断線を刻設したことを特徴とする請求項１乃至３のいずれか記載の保持具であって、上記の構成とすることにより、保持される容器毎の分割が可能となると共に、分割によっても容器毎に保持具部分が残るので内容物表示や、注意表示を付与した状態を保つことができる。また、分割によって集合状態を小さくして、保管スペースを減らすことができる。
【００１４】
請求項５の発明は、フランジ部を有するフランジ付き容器を６個以上で３の倍数個集積して保持する板紙製の保持具であって、該保持具は、３個の角部及び周縁辺を有する略正三角形状の天板と、該天板の周縁辺に外縁折線を介してそれぞれ連設される外縁垂下片とを有し、前記天板は、前記フランジ付き容器のフランジ部の外縁が前記略正三角形状の前記角部を挟む周縁辺にそれぞれ内接するように配置した角部容器保持領域と、該角部容器保持領域間の前記周縁辺に少なくとも１個以上のフランジ付き容器のフランジ部の外縁を内接するよう配置した縁辺部容器保持領域とを備えており、当該角部容器保持領域及び縁辺部容器保持領域には、前記外縁折線のそれぞれに前記フランジ部の外縁が内接する位置に穿設され前記フランジ部を係止する外縁係止用切込と、前記それぞれの角部に対向した前記天板の中央側及び前記縁辺部容器保持領域の前記天板の中央側に設けられた内縁折線を介して設けられる内縁垂下片と、前記内縁折線のそれぞれに穿設され前記フランジ部を係止する内縁係止用切込とを設け、前記角部容器保持領域に位置するフランジ付き容器はフランジ部の二箇所が前記外縁係止用切込に係止されるとともにフランジ部の一箇所が前記内縁係止用切込に係止され、前記縁辺部容器保持領域に位置するフランジ付き容器はフランジ部の一箇所が前記外縁係止用切込に係止されるとともにフランジ部の二箇所が前記内縁係止用切込に係止され保持されることを特徴とする保持具であって、このように構成することにより、略正三角形状に形成された天板に当接するそれぞれのフランジ付き容器を、外縁垂下片と内縁垂下片とを折り曲げことでそれぞれのフランジ付き容器のフランジ部が三箇所の係止用切込部分で係止されるので、保持具に簡単にしかも強固に保持できる。
【００１５】
請求項６の発明は、フランジ部を有するフランジ付き容器を６個以上の偶数個集積して保持する板紙製の保持具であって、該保持具は、４個の角部及び周縁辺を有する略矩形状の天板と、該天板の周縁辺に外縁折線を介してそれぞれ連設される外縁垂下片とを有し、前記天板は、前記フランジ付き容器のフランジ部の外縁を前記角部を挟む周縁辺にそれぞれ内接するように配置した角部容器保持領域と、該角部容器保持領域間で前記周縁辺の一方の対向する二辺に少なくとも１個以上のフランジ付き容器のフランジ部の外縁を内接するよう配置した縁辺部容器保持領域とを備えており、当該角部容器保持領域及び縁辺部容器保持領域には、前記周縁辺の一方の対向する二辺の前記外縁折線のそれぞれに前記少なくとも３個のフランジ付き容器のフランジ部の外縁が内接する位置及び前記周縁辺の他方の対向する二辺の前記外縁折線のそれぞれに前記２個のフランジ付き容器のフランジ部の外縁が内接する位置とに穿設され前記フランジ部を係止する外縁係止用切込と、前記それぞれの角部に対向した前記天板の中央側及び前記縁辺部容器保持領域の前記天板の中央側に設けられる内縁折線を介して設けられる内縁垂下片と、前記内縁折線のそれぞれに穿設され前記フランジ部を係止する内縁係止用切込とを設け、前記角部容器保持領域に位置するフランジ付き容器はフランジ部の二箇所が前記外縁係止用切込に係止されるとともにフランジ部の一箇所が前記内縁係止用切込に係止され、前記縁辺部容器保持領域に位置するフランジ付き容器はフランジ部の一箇所が前記外縁係止用切込に係止されるとともにフランジ部の二箇所が前記内縁係止用切込に係止され保持されることを特徴とする保持具であり、このように構成することにより、矩形状の天板に６個以上の偶数個のフランジ付き容器を係止保持することができる。
【００１６】
請求項７の発明は、前記天板に形成した内縁折線同士の各交点から発し前記外縁折線に直交すると共に前記外縁垂下片をそれぞれ横断する破断線と、前記天板に形成した前記内縁折線同士の各交点のうち天板の中央に近い交点間を結ぶ破断線とを刻設したことを特徴とする請求項５または６に記載の保持具であって、上記の構成とすることにより、保持される６個あるいは偶数個の容器毎の分割が可能となると共に、分割によっても容器毎に保持具部分が残るので内容物表示や、注意表示を付与した状態を保つことができる。また、分割によって集合状態を小さくして、保管スペースを減らすことができる。
【００１７】
請求項８の発明は、前記外縁係止用切込及び前記内縁係止用切込が、それぞれ外縁垂下片及び内縁垂下片方向に膨出する略弓の字状からなりそれぞれの幅中央部に係止突起を備えたことを特徴とする請求項１乃至７のいずれか記載の保持具であって、外縁係止用切込及び内縁係止用切込の中央部に係止突起を備えることにより、フランジ付き容器のフランジ部の裏面に係止突起を当接することができ、係止切込での保持より強固な保持が可能となる。
【発明の効果】
【００１８】
本発明に係る保持具は、少なくとも３個以上の略円形状のフランジ付き容器を、多角形状の天板に当接するように配置し、天板に連設される外縁垂下片及び天板内に設けられた内縁垂下辺を折り曲げることで簡単に連結保持することができ、包装作業性に優れ且つ意匠性にも優れた集合包装とすることができる。また、別部品を用いることなく、保持具のみでフランジ付き容器を連結保持できるので、材料面及び製造面で経済的である。さらに、連結保持された各フランジ付き容器は、フランジ部の外縁が３箇所の切込により保持されているため、不用意に外れるようなことがない。
【図面の簡単な説明】
【００１９】
【図１】本発明に係る保持具の実施形態のブランク平面図。
【図２】同じく実施形態の組み立て状態を示す説明用斜視図。
【図３】同じく実施形態の組立状態における説明用要部拡大断面図。
【図４】（ａ）本発明に係る保持具の第二実施形態におけるブランクの平面図。（ｂ）６個用の参考縮小平面図。
【図５】同じく第二実施形態の組み立て状態を示す説明用斜視図。
【図６】本発明に係る保持具の第三実施形態におけるブランクの平面図。
【図７】同じく第三実施形態の組み立て状態を示す説明用斜視図。
【発明を実施するための形態】
【００２０】
本発明につき、図面を用いて以下に詳述する。尚、図１は本発明に係る保持具の第一実施形態のブランク平面図。図２は同じく第一実施形態の組み立て状態を示す説明用斜視図。図３は同じく第一実施形態の組立状態における説明用要部拡大断面図。図４（ａ）は本発明に係る保持具の第二実施形態におけるブランクの平面図、図４（ｂ）は６個用の参考縮小平面図。図５は同じく第二実施形態の組み立て状態を示す説明用斜視図。図６は本発明に係る保持具の第三実施形態におけるブランクの平面図。図７は同じく第三実施形態の組み立て状態を示す説明用斜視図である。
【００２１】
本発明に係る保持具の第一実施形態は、上部端縁に外向きのフランジ部Ｒを有する３個のフランジ付き容器Ｑを、略正三角形状のそれぞれの角部を挟む周縁辺に内接するように配置し連結保持する板紙製の保持具であり、図１に示すように、板紙製のブランクＰ１は、係止される３個のフランジ付き容器と同数の角部と周縁辺を有する略正三角形状の天板１と、該天板１の周縁辺の長辺三辺にそれぞれ外縁折線Ｌ１を介してそれぞれ連設した外縁垂下片２とからなり、前記天板１は、フランジ付き容器Ｑのフランジ部Ｒの外縁がそれぞれ３箇所の角部を挟む周縁辺に内接するよう配置した容器保持領域を備え、該容器保持領域には、前記外縁折線Ｌ１のそれぞれに穿設され前記フランジ部Ｒを係止する外縁係止用切込４と、前記それぞれの角部に対向した天板１の中央側にそれぞれ設けられた内縁折線Ｌ２を介して設けられるそれぞれの内縁垂下片３と、前記内縁折線Ｌ２のそれぞれに穿設されフランジ部Ｒを係止するそれぞれの内縁係止用切込５とを備えており、前記それぞれの外縁係止用切込及び内縁係止用切込５は、それぞれの前記フランジ付き容器Ｑの中心からそれぞれ外向きに膨出するとともに中央部に係止突起６をそれぞれ設けた略弓の字状に穿設形成されている。尚、前記係止突起６には突起端部に直行する短い切込７がそれぞれ穿設されている。また、前記内縁折線Ｌ２同士の各交点から発し、前記それぞれの外縁折線Ｌ１に向かって直交するとともに前記外縁垂下片２をそれぞれ横断する破断線Ｌ３が穿設されており、保持具形成後に前記破断線を破断し、保持具を有するフランジ付き容器を分割することができる。
【００２２】
図２は、本発明に係る保持具の第一実施形態の組み立て状態を示す説明用斜視図で、保持具Ｐ１’に３個のフランジ付き容器Ｑを保持した状態である。実施形態に示すフランジ付き容器は、紙系、発泡樹脂系、熱可塑性樹脂系から選択的に成形製造された上端に略円形状のフランジを有する容器で、一般的に、カップ状の容器本体に、内容物を充填収納し、上端のフランジ部の上面を容器蓋材で熱接着してなるものであるが、これに限定されるものではなく、例えば蓋の巻締め部を有する金属缶等も含まれるものである。尚、巻締め部とは、金属缶等に内容物充填後、開口部を缶蓋で密封しつつ缶蓋周端部で開口部を巻締めることにより封止した部分である。
図２に示す実施形態の組み立てにあたっては、天板１の角部を挟む周縁辺にフランジ部Ｒの外縁が内接するように配置し、フランジ付き容器Ｑのフランジ部Ｒ上面がブランクＰ１の裏面に当接させた状態で、それぞれの外縁折線Ｌ１を用いて外縁垂下片２を下方に折り曲げフランジ部Ｒをそれぞれ外縁係止用切込４に係止させたのち、それぞれの内縁折線Ｌ２を用いて内縁垂下片３を下方に折り曲げフランジ部Ｒをそれぞれ内縁係止用切込５に係止させることで、本図には表われないが、それぞれの外縁係止用切込４の幅中央部に突出形成された係止突起６がそれぞれフランジ部Ｒの裏面に当接して係止され、板紙製の保持具Ｐ１’による３個のフランジ付き容器Ｑの連結保持が完了する。上記のように、３個のフランジ付き容器Ｑが略正三角形状の天板を持つ保持具により、簡単な操作で強固に連結保持されるので、従来技術の１列の保持状態よりも販売時点での展示効果に優れた保持具となる。尚、係止突起６に穿設された短い切込７は、それぞれの外縁垂下片２及び内縁垂下片３の折り曲げによりフランジ部Ｒを係止突起６が乗り越え易いよう係止突起６部分が僅かに拡げられるように働くものである。
【００２３】
図３は、本発明に係る保持具の第一実施形態の組立状態における説明用要部拡大断面図であって、図３（ａ）は図２においてフランジ付き容器Ｑ上の天板の一角で対向する外縁係止用切込間を横断するｘ−ｘ線拡大断面図、図３（ｂ）は同じくフランジ付き容器Ｑ１上で内縁係止用切込を横断するｙ−ｙ線拡大断面図で、フランジ付き容器Ｑの係止状態を表わしている。図３（ａ）で、天板１の両側部において、天板１と外縁垂下片２との間に穿設形成された外縁係止用切込４により形成された外縁垂下片２側の係止突起６がそれぞれフランジ部Ｒの裏面に当接して係止し、さらに図３（ｂ）に示すように、天板１の略中央部においては、天板１と内縁垂下片３との間に穿設形成された内縁係止用切込６により形成された内縁垂下片３側の係止突起６がフランジ部Ｒの裏面に当接して係止しており、フランジ付き容器Ｑはフランジ部Ｒをその円周を略三分割する三箇所で保持具Ｐ１’の外縁垂下片２と内縁垂下片３とによって係止保持されている。このとき、それぞれの係止突起６はフランジ部Ｒの裏面に当接して係止するため、フランジ部Ｒの厚み分を銜え込んで係止しているので、それぞれの外縁垂下片２と内縁垂下片３とはフランジ部Ｒにより押し下げられた状態となって、フランジ付き容器Ｑの胴部に強固に当接した状態を呈するものである。尚、使用にあたって、天板１及び外縁垂下片２はそれぞれ穿設形成した破断線Ｌ３の破断により容器毎に分割して使用することができ、少量の使用後は小さくして収納することができる。また。容器毎の保持具により内容物の使用や注意事項等の表示を付けた状態で保っておくことができる。
【００２４】
本発明に係る保持具の第二実施形態は、上部端縁に外向きのフランジ部Ｒを有するフランジ付き容器Ｑを、矩形状のそれぞれの角部を挟む周縁辺に内接するように配置し連結保持する板紙製の保持具であり、図４（ａ）は、本発明に係る保持具の第二実施形態におけるブランクの平面図、図４（ｂ）は６個用の参考縮小平面図である。第二実施形態において保持される４個のフランジ付き容器は、フランジ部Ｒの外縁がそれぞれ所定の距離で離間した２列×２列の状態で、ブランクＰ２から形成される保持具Ｐ２’で保持されるものである。図に示す第二実施形態のブランクＰ２は、係止される４個のフランジ付き容器と同数の角部と周縁辺を有する略正方形状の天板１１と、該天板１１の周縁辺にそれぞれ外縁折線Ｌ１１を介して連設される外縁垂下片１２とを有しており、前記天板１１は、前記フランジ付き容器Ｑのフランジ部Ｒの外縁が前記略正方形状のそれぞれの角部を挟む周縁辺に内接するように配置した容器保持領域を備え、該容器保持領域には、前記外縁折線Ｌ１１のそれぞれに穿設され前記フランジ部Ｒを係止するそれぞれの外縁係止用切込１４と、前記それぞれの角部に対向した天板１１の中央側にそれぞれ設けられた内縁折線Ｌ１２を介して設けられる内縁垂下片１３と、前記内縁折線Ｌ１２のそれぞれに穿設されフランジ部Ｒを係止する内縁係止用切込１５とを備えており、前記それぞれの外縁係止用切込１４及び内縁係止用切込１５は、それぞれの前記フランジ付き容器Ｑの中心からそれぞれ外向きに膨出するとともに中央部に係止突起１６をそれぞれ設けた略弓の字状に穿設形成されている。。尚、前記係止突起１６には突起端部に直行する短い切込１７がそれぞれ穿設されている。また、前記内縁折線Ｌ１２同士の各交点から発し、前記それぞれの外縁折線Ｌ１１に向かって直交するとともに前記外縁垂下片１２をそれぞれ横断する破断線Ｌ１３が穿設されており、保持具形成後に前記破断線を破断し、保持具を有するフランジ付き容器を分割することができる。
【００２５】
図４（ｂ）は、図４（ａ）の４個用のブランクを左右方向に拡大し、フランジ付き容器を１列×２個増やして保持するフランジ付き容器を６個とした場合のブランクの参考縮小平面図である。６個の保持の場合、先の図４（ａ）で述べたブランクＰ２の一方の対向する周縁辺に幅方向に１列×２個のフランジ付き容器のフランジ部Ｒが当接保持される縁辺部容器保持領域を加えた矩形状の天板で形成されており、図に示すブランクＰ４は、横長矩形状の天板３１と、該天板３１の周縁辺にそれぞれ外縁折線Ｌ３１を介して連設される外縁垂下片３２とを有しており、前記天板３１は、前記フランジ付き容器Ｑのフランジ部Ｒの外縁が前記横長矩形状のそれぞれの角部を挟む周縁辺に内接するように配置した角部容器保持領域と、該角部容器保持領域間の前記周縁辺に１個の前記フランジ付き容器Ｑの前記フランジ部Ｒの外縁が内接するように配置した前記縁辺部容器保持領域を備え、前記角部容器保持領域及び前記縁辺部容器保持領域には、前記外縁折線Ｌ３１のそれぞれに前記フランジ部Ｒが内接する位置に穿設され前記フランジ部Ｒを係止する外縁係止用切込３４と、前記それぞれの角部に対向した前記天板３１の中央側及び前記縁辺部容器保持領域の前記天板３１の中央側にそれぞれ設けられた内縁折線Ｌ３２を介して設けられる内縁垂下片３３と、前記内縁折線Ｌ３２のそれぞれに穿設され前記フランジ部Ｒを係止する内縁係止用切込３５とが設けられおり、６個のフランジ付き容器を保持することができる。前記角部容器保持領域に位置するそれぞれのフランジ付き容器Ｑはフランジ部Ｒの二箇所が前記外縁係止用切込３４に係止されるとともにフランジ部Ｒの一箇所が前記内縁係止用切込３５に係止され、前記縁辺部容器保持領域に位置するフランジ付き容器Ｑはフランジ部Ｒの一箇所が前記外縁係止用切込３４に係止されるとともにフランジ部Ｒの二箇所が前記内縁係止用切込３５にそれぞれ係止されて連結保持される。尚、８個保持用或いは１０個保持用のブランクについても、同様に、ブランクの拡大と外縁係止用切込の増設、内縁折線、内縁垂下片及び内縁係止用切込の増設により形成することができる。
【００２６】
図５は、同じく第二実施形態の組み立て状態を示す説明用斜視図であり、第二実施形態の保持具Ｐ２’により４個のフランジ付き容器Ｑを連結保持した状態を示している。図中、上部端縁に外向きのフランジ部Ｒを有するフランジ付き容器Ｑが、矩形状の天板のそれぞれの角部を挟む周縁辺に内接するように配置され、外縁垂下片１２を外縁折線Ｌ１１で折り曲げフランジ部Ｒの２箇所を外縁係止用切込１４、１４で係止し、さらに前記天板１１のそれぞれの角部に対向し中央側に設けられた内縁垂下片１３を内縁折線Ｌ１２で折り曲げフランジ部Ｒの１箇所を内縁係止用切込１５に係止することで、４個のフランジ付き容器Ｑが保持具Ｐ２’により連結保持されている。上記のように２列状態の集合包装においても、簡単な操作で連結保持することができるので、操作性に優れている。また、図５では４個保持用の保持具Ｐ２’の組み立て状態を示したが、前述した偶数個の保持用ブランクによる保持具の形成に関し、図４（ｂ）に示した６個保持用のブランクにおいても、１列分の増加により追加される内縁垂下片の折り曲げ操作により、１列増加されたフランジ付き容器との列間のそれぞれフランジ部をそれぞれ内縁垂下片の折り曲げにより内縁係止用切込に係止することにより、簡単に安定した保持具を形成することができる。８個保持の場合も同様に増加部分の係止により保持具を形成することができる。尚、使用にあたって、天板１１及びそれぞれの外縁垂下片１２、６個用においては天板３１及びそれぞれの外縁垂下片３２に穿設形成した破断線Ｌ１３、６個用においては同じく破断線Ｌ３３の破断により容器毎に分割して使用することができ、少量の使用後は小さくして収納することができる。また。容器毎の保持具により内容物の使用や注意事項等の表示を付けておくことができる。
【００２７】
本発明に係る保持具の第三実施形態は、図６に示すように、３個の角部及び周縁辺を有する略正三角形状の天板２１と、該天板２１の周縁辺のうち、長辺三辺に外縁折線Ｌ２１を介してそれぞれ連設した外縁垂下片２２とを有し、前記天板２１は、前記フランジ付き容器Ｑのフランジ部Ｒの外縁が前記略正三角形状の角部を挟む周縁辺にそれぞれ内接するように配置した角部容器保持領域と、該角部容器保持領域間の前記周縁辺に１個の前記フランジ付き容器Ｑの前記フランジ部Ｒの外縁が内接するように配置した前記縁辺部容器保持領域を備え、前記角部容器保持領域及び前記縁辺部容器保持領域には、前記外縁折線Ｌ２１のそれぞれに前記フランジ部Ｒが内接する位置に穿設され前記フランジ部Ｒを係止する外縁係止用切込２４と、前記それぞれの角部に対向した前記天板２１の中央側及び前記縁辺部容器保持領域の前記天板２１の中央側にそれぞれ設けられた内縁折線Ｌ２２を介して設けられるそれぞれの内縁垂下片２３と、前記内縁折線Ｌ２２のそれぞれに穿設され前記フランジ部Ｒを係止する内縁係止用切込２５とを設けて６個保持用ブランクが形成される。尚、前記外縁係止用切込２４、及び内縁係止用切込２５の中央部の係止突起２６にはそれぞれ直交する短い切込２７が穿設されている。また、前記内縁折線Ｌ２２同士の外向き二箇所の交点からはそれぞれ外縁折線Ｌ２１に向かって直交すると共に外縁垂下片２２をそれぞれ横断する破断線Ｌ２３と、前記内縁折線Ｌ２２同士の前記天板２１側の交点とそれぞれ隣接する交点とを結ぶ破断線Ｌ２４が穿設形成されている。
【００２８】
図７は、第三実施形態の組み立て状態を示す説明用斜視図で、実施形態の組み立てにあたっては、前述のように配置されたフランジ付き容器Ｑの上端のフランジ部Ｒ上面に、ブランクＰ３の天板２１の裏面を当接させ、それぞれの内縁折線Ｌ２２を用いて内縁垂下片２３を下方に折り曲げることにより、前記フランジ付き容器Ｑのフランジ部Ｒをそれぞれ内縁係止用切込２５（図中、内縁垂下片一箇所に１個、計９個）に係止させた後、それぞれの外縁折線Ｌ２１を用いて外縁垂下片２２を下方に折り曲げることにより、前記フランジ付き容器Ｑのフランジ部Ｒをそれぞれ外縁係止用切込２４（図中、一辺に３個、計９個）に係止する。それぞれの角部に当接するフランジ部はそれぞれ外縁係止用切込２箇所と内縁係止用切込１箇所により係止され、各縁辺に当接するフランジ部は外縁係止用切込１箇所と内縁係止用切込２箇所により係止される。尚、本図には表われないが、それぞれの外縁係止用切込２４及び内縁係止用切込２５それぞれの係止突起２６がそれぞれフランジ部Ｒの裏面に当接して係止され、板紙製の保持具Ｐ３’による６個のフランジ付き容器Ｑの連結保持を完了する。６個のフランジ付き容器を外縁垂下片と内縁垂下片との折り曲げという簡単な操作で、それぞれフランジ付き容器のフランジ部を外縁係止用切込及び内縁係止用切込による３箇所の係止を行い、６個のフランジ付き容器を略正三角形状の保持具で安定した連結保持ができるので、従来技術の１列や２列の保持状態よりも販売時点での展示効果に優れた保持具となる。尚、連結保持する天板２１及びそれぞれの外縁垂下片２２穿設形成された破断線Ｌ２３及びＬ２４の破断により容器毎に分割することができ、少量の使用後は収納状態を小さくすることができる。また。容器毎に保持具が付いているので、内容物の使用方法等の表示事項を付けておくことができる。
【符号の説明】
【００２９】
Ｐ１                    ブランク
Ｐ１’                  保持具
Ｑ                      フランジ付き容器
Ｒ                      フランジ部
Ｓ                      容器蓋材
１                      天板
２                      外縁垂下片
３                      内縁垂下片
４                      外縁係止用切込
５                      内縁係止用切込
６                      係止突起
７                      切込
Ｌ１                    外縁折線
Ｌ２                    内縁折線
Ｌ３                    破断線
Ｐ２                    ブランク
Ｐ２’                  保持具
１１                    天板
１２                    外縁垂下片
１３                    内縁垂下片
１４                    外縁係止用切込
１５                    内縁係止用切込
１６                    係止突起
１７                    切込
Ｌ１１                  外縁折線
Ｌ１２                  内縁折線
Ｌ１３                  破断線
Ｐ３                    ブランク
Ｐ３’                  保持具
２１                    天板
２２                    外縁垂下片
２３                    内縁垂下片
２４                    外縁係止用切込
２５                    内縁係止用切込
２６                    係止突起
２７                    切込
Ｌ２１                  外縁折線
Ｌ２２                  内縁折線
Ｌ２３                  破断線
Ｐ４                    ブランク
３１                    天板
３２                    外縁垂下片
３３                    内縁垂下片
３４                    外縁係止用切込
３５                    内縁係止用切込
３６                    係止突起
３７                    切込
Ｌ３１                  外縁折線
Ｌ３２                  内縁折線
Ｌ３３                  破断線
【図１】
2011140324.tif 000003
【図２】
2011140324.tif 000004
【図３】
2011140324.tif 000005
【図４】
2011140324.tif 000006
【図５】
2011140324.tif 000007
【図６】
2011140324.tif 000008
【図７】
2011140324.tif 000009